(57)【要約】【課題】  梁などの鉄骨材の再利用が容易になし得る折版屋根の屋根構造およびその施工方法を提供する。【解決手段】  タイトフレーム２０を用いて折版屋根３０の敷設をなす折版屋根３０の屋根構造Ｋであって、タイトフレーム２０がボルト・ナット留めにより梁１０の上フランジ１１に配設されてなるものであり、梁１０の継手部Ｊではタイトフレーム２０を梁１０の継手部Ｊの上方所定位置で保持するタイトフレーム保持部材４０を備え、それにタイトフレーム２０がボルト・ナット留めまたはビス留めにて配設される。また、折版屋根３０の谷３２が、梁１０の継手部Ｊの上方所定位置とされている。【選択図】  図１
2006097355.tif 000002
【特許請求の範囲】
【請求項１】
タイトフレームを用いて折版屋根の敷設をなす折版屋根の屋根構造であって、
前記タイトフレームがボルト・ナット留めまたはビス留めにより梁に配設されてなることを特徴とする折版屋根の屋根構造。
【請求項２】
タイトフレームが谷底面にボルトが配設されてなることを特徴とする請求項１記載の折版屋根の屋根構造。
【請求項３】
タイトフレームが谷にボトルが挿通される透孔を有してなることを特徴とする請求項１記載の折版屋根の屋根構造。
【請求項４】
タイトフレームを梁の継手部の上方所定位置で保持するタイトフレーム保持部材を備えてなることを特徴とする請求項１記載の折版屋根の屋根構造。
【請求項５】
折版屋根の谷が、梁の継手部の上方所定位置とされてなることを特徴とする請求項１記載の折版屋根の屋根構造。
【請求項６】
タイトフレームを用いて折版屋根の敷設をなす折版屋根の屋根構造の施工方法であって、
前記タイトフレームをボルト・ナット留めまたはビス留めにより梁に配設する手順を含んでいることを特徴とする屋根構造の施工方法。
【発明の詳細な説明】
【技術分野】
【０００１】
本発明は、折版屋根の屋根構造およびその施工方法に関する。さらに詳しくは、梁などの鉄骨材の再利用が容易になし得る折版屋根の屋根構造およびその施工方法に関する。
【背景技術】
【０００２】
従来より、折版屋根においては、梁の継手部がない箇所では、図８に示すように、梁１００の上フランジ１０１に折版屋根１０３と相似形とされたタイトフレーム１０２を溶接１０４にて取付けし、そのタイトフレーム１０２を用いて折版屋根１０３の山をタイトフレーム１０２の山に、例えばボルト・ナット留めして折版屋根１０３の敷設をなすという施工方法が採用されている。
【０００３】
一方、継手部Ｊがある箇所では、図９に示すように、梁１００の上フランジ１０１に溝型鋼や角パイプ１０５などを溶接１０４にて取付けして、折版屋根１０３の谷のレベルを継手部Ｊの取付ボルトをかわせる位置まで上げ、例えば５０ｍｍ上げ、そして溝型鋼や角パイプ１０５などにタイトフレーム１０２を溶接１０４にて取付けし、そのタイトフレーム１０２を用いて折版屋根１０３の山をタイトフレーム１０２の山に、例えばボルト・ナット留めして折版屋根１０３の敷設をなすという施工方法が採用されている。
【０００４】
なお、梁の継手部Ｊにおいては、継手部Ｊが形成された後、上フランジ１０１に例えばアングル１０６を溶接１０４にて取付けし、そのアングル１０６にタイトフレーム１０２を溶接１０４にて取付けして折版屋根１０３の敷設がなされる。
【０００５】
かかる構成においては、解体時にタイトフレーム１０２の梁１００からの撤去を梁１００に傷を付けずになすことができず、それがため梁１００などの鉄骨材の再利用を妨げているという問題がある。また、梁１００に型鋼や角パイプ１０５などを取付けし、それにタイトフレーム１０２を溶接１０４にて取付けしている箇所には、前記と同様の問題がある上に、屋根の重量およびコスト増大という別の問題もある。
【０００６】
なお、特許文献１には、タイトフレームを梁に鋲留めすることによる接合構造が提案されているが、梁などの鉄骨材の再利用については、何等の言及もなされていない。
【特許文献１】特開平８−２８４３２８号公報
【発明の開示】
【発明が解決しようとする課題】
【０００７】
本発明はかかる従来技術の課題に鑑みなされたものであって、梁などの鉄骨材の再利用が容易になし得る折版屋根の屋根構造およびその施工方法を提供することを目的としている。
【課題を解決するための手段】
【０００８】
本発明の折版屋根の屋根構造は、タイトフレームを用いて折版屋根の敷設をなす折版屋根の屋根構造であって、前記タイトフレームがボルト・ナット留めまたはビス留めにより梁に配設されてなることを特徴とする。
【０００９】
本発明の折版屋根の屋根構造においては、タイトフレームが谷底面にボルトが配設されていたり、タイトフレームが谷にボトルが挿通される透孔を有していたりするのが好ましい。
【００１０】
また、本発明の折版屋根の屋根構造においては、タイトフレームを梁の継手部の上方所定位置で保持するタイトフレーム保持部材を備えてなるのが好ましい。
【００１１】
さらに、本発明の折版屋根の屋根構造においては、折版屋根の谷が、梁の継手部の上方所定位置とされてなるのが好ましい。
【００１２】
一方、本発明の屋根構造の施工方法は、タイトフレームを用いて折版屋根の敷設をなす折版屋根の屋根構造の施工方法であって、前記タイトフレームをボルト・ナット留めまたはビス留めにより梁に配設する手順を含んでいることを特徴とする。
【発明の効果】
【００１３】
本発明によれば、折版屋根の屋根構造においてタイトフレームや梁などの鉄骨材の再利用が容易になるという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
実施形態１
図１に、本発明の実施形態１に係る折版屋根の屋根構造（以下、単に屋根構造という）を分解断面図示す。
【００１６】
屋根構造Ｋは、図１に示すように、梁１０の上フランジ１１に配設されたタイトフレーム２０と、タイトフレーム２０に保持された折版屋根３０とを主要構成要素として備えてなるものとされる。図中、符号Ｎはナットを示す。
【００１７】
タイトフレーム２０は、谷２１底面に下方に向けて垂設されたボルト（以下、谷ボルトという）２２および山２３上面に上方に向けて垂設されたボルト（以下、山ボルトという）２４を有するものとされる。谷ボルト２２は、谷ボルト２２に対応させて梁１０の上フランジ１１に設けられた透孔１２に挿通されてナット締めされ、それによりタイトフレーム２０が梁１０の上フランジ１１に配設される。谷ボルト２２は各種ボルトとすることができるが、所定の締付力が確実に得られる点から高張力ボルトとされるのが好ましい。
【００１８】
また、山ボルト２４は、山ボルト２４に対応させて折版屋根３０の山３１に設けられた透孔に挿通されてナット締めされ、それにより折版屋根３０のタイトフレーム２０による保持が従来と同様にしてなされる。
【００１９】
タイトフレーム２０の山２３の高さは、図１に示すように、折版屋根３０の谷３２とタイトフレーム２０の谷２１との間に所定の隙間３３ができるよう調整されている。この所定の隙間３３を設けるのは、折版屋根３０の谷３２のレベルを同一に保持しながら梁１０の継手部に設けられているボルトをかわせるようにするためである。
【００２０】
また、タイトフレーム２０はいわゆる定尺物とされて、所要数を継ぎ足すようにして所望寸法とするのが、作業性およびコスト低減の観点から好ましい。この場合、継ぎ足し部２５は、図１に示すように、谷２１を中央で切断した半ピッチ体として各ピッチ体の谷２１底面に谷ボルト２２が設けられるものとされる。
【００２１】
次に、かかる構成とされている折版屋根３０の屋根構造Ｋの施工について説明する。
【００２２】
手順１：タイトフレーム２０を梁１０の上フランジ１１にナット締めにて配設する。なお、この手順は工場においてなされてもよい。
【００２３】
手順２：折版屋根３０を山３１に設けられた透孔に山ボルト２４を挿通しながら敷設する。
【００２４】
手順３：山ボルト２４をナット締めして折版屋根３０をタイトフレーム２０に取り付ける。これにより、折版屋根３０の施工が完了する。
【００２５】
一方、折版屋根３０の解体は、前記各手順を逆に辿ることによりなされる。
【００２６】
このように、実施形態１においては、タイトフレーム２０を梁１０の上フランジ１１にナット締めにて配設しているので、その解体が容易でしかも梁１０などの鉄骨材やタイトフレーム２０が再利用可能な状態でなし得る。また、タイトフレーム２０を梁１０の上フランジ１１への配設が溶接によらないので、作業員の技量にかかわらず品質が安定する。
【００２７】
実施形態２
図２に、本発明の実施形態２に係る屋根構造Ｋ１を断面図示す。実施形態２は実施形態１を梁１０の継手部Ｊに適用するように改変してなるものとされる。
【００２８】
屋根構造Ｋ１は、図２に示すように、タイトフレーム１０の継手部Ｊに位置する部分を継手部Ｊの上方所定位置で保持するタイトフレーム保持部材４０を設け、それによりタイトフレーム２０の継手部Ｊに位置する部分を保持してなるものとされる。
【００２９】
タイトフレーム２０は、両端部２６、２６が実施形態１のタイトフレーム２０の継ぎ足し部２５と同様とされる一方、継手部Ｊに位置する中間部分２７は谷２１が折版屋根３０の谷３２に当接するようそのレベルが上げられている。また、タイトフレーム２０の谷２１には谷ボルト２２が垂設され、山２３には山ボルト２４が垂設されている。
【００３０】
タイトフレーム保持部材４０は、図３に示すように、逆Ｌ字型部材とされ、その両端部４１，４１下端にはタイトフレーム保持部材４０を梁１０の上フランジ１１に取り付けるための取付部４２が、逆Ｌ字型部材の水平部４３とは逆方向に突出させて形成されている。つまり、両端部４１，４１は階段状に形成されている。また、逆Ｌ字型部材の水平部４３には、タイトフレーム２０の谷ボルト２２が挿通される透孔４４が形成されている。
【００３１】
なお、タイトフレーム保持部材４０は、図３に示すものに限定されるものではなく適宜形状とでき、例えば、図４に示すように、両端部４１，４１がハット状に形成されたタイトフレーム保持部材４０Ａとされてもよい。
【００３２】
次に、かかる構成とされている折版屋根３０の屋根構造Ｋ１の施工について説明する。
【００３３】
手順１：タイトフレーム保持部材４０を梁１０の上フランジ１１に配設する。つまり、逆Ｌ字型部材の水平部４３を、継手部Ｊの上方にオーバーハングさせた状態で取付部４２を梁１０の上フランジ１１にボルト・ナット留めにて固定する。
【００３４】
手順２：タイトフレーム２０を梁１０の上フランジ１１およびタイトフレーム保持部材４０にナット締めにて配設する。
【００３５】
手順３：折版屋根３０を山３１に設けられた透孔に山ボルト２４を挿通しながら敷設する。
【００３６】
手順４：山ボルト２４をナット締めして折版屋根３０をタイトフレーム２０に取り付ける。これにより、折版屋根３０の施工が完了する。
【００３７】
一方、折版屋根３０の解体は、前記各手順を逆に辿ることによりなされる。
【００３８】
このように、実施形態２においては、タイトフレーム２０を梁１０の上フランジ１１およびタイトフレーム保持部材４０の水平部４３にナット締めにて配設しているので、その解体が容易でしかも梁１０などの鉄骨材やタイトフレーム２０が再利用可能な状態でなし得る。また、タイトフレーム２０を梁１０の上フランジ１１に設けられたタイトフレーム保持部材４０への配設が溶接によらないので、作業員の技量にかかわらず品質が安定する。
【００３９】
以上、本発明を実施形態に基づいて説明してきたが、本発明はかかる実施形態のみに限定されるものではなく、種々改変が可能である。
【００４０】
例えば、実施形態ではタイトフレーム２０の端部は、谷２１中央で切断した半ピッチ体とされ、その各半ピッチ体の谷２１に谷ボルト２２が垂設されるようにされているが、図５に示すように、継ぎ足し部２５において、谷２１，２１が重なるようにされてもよい。この場合、継ぎ足し部２５において上側に位置する谷２１を有するタイトフレーム２０Ａは、重ね部に位置する谷２１は重ね代分だけレベルが上げられるとともに、その谷２１底面には谷ボルト２２が垂設されている。一方、継ぎ足し部２５において下側に位置する谷２１を有するタイトフレーム２０Ｂには、谷ボルト２２が挿通される透孔２８が形成されている。
【００４１】
また、図６に示すように、タイトフレーム２０はいわゆるワンピース物とされてもよい。さらに、図７に示すように、谷ボルト２２に代えて谷２１に透孔２８を設けて、タイトフレーム２０をボルト・ナット留めとするようにしてもよい。
【００４２】
また、タイトフレーム２０をビス留めにて梁１０の上フランジ１１に固定するようにしてもよい。
【産業上の利用可能性】
【００４３】
本発明は折版屋根に適用できる。
【図面の簡単な説明】
【００４４】
【図１】本発明の実施形態１に係る折版屋根の屋根構造の要部の分解断面図である。
【図２】本発明の実施形態２に係る折版屋根の屋根構造の要部の断面図である。
【図３】同実施形態におけるタイトフレーム保持部材の一例の詳細図であって、同（ａ）は側面図を示し、同（ｂ）は端部正面図を示す。
【図４】同実施形態におけるタイトフレーム保持部材の他の例の詳細図であって、同（ａ）は側面図を示し、同（ｂ）は端部正面図を示す。
【図５】タイトフレームの他の例の概略図である。
【図６】タイトフレームのさらに他の例の概略図である。
【図７】タイトフレームのさらに他の例の概略図である。
【図８】従来の折版屋根の屋根構造の図１相当図である。
【図９】従来の折版屋根の屋根構造の図２相当図である。
【符号の説明】
【００４５】
１０    梁
１１    上フランジ
１２    透孔
２０    タイトフレーム
２１    谷
２２    谷ボルト
２３    山
２４    山ボルト
２５    継ぎ足し部
３０    折版屋根
３１    山
３２    谷
３３    隙間
４０    タイトフレーム保持部材
Ｋ    折版屋根の屋根構造
Ｊ    継手部
【図１】
2006097355.tif 000003
【図２】
2006097355.tif 000004
【図３】
2006097355.tif 000005
【図４】
2006097355.tif 000006
【図５】
2006097355.tif 000007
【図６】
2006097355.tif 000008
【図７】
2006097355.tif 000009
【図８】
2006097355.tif 000010
【図９】
2006097355.tif 000011